(57)【要約】【課題】遊技者が発射ハンドルを自分に合った向きに容易且つ短時間で調整することができ、また一度ハンドルの向きを変更した後も元の向きに容易に戻すことが可能な弾球遊技機を提供する。【解決手段】発射ハンドル１４の突出方向を、第１，第２回転軸Ａｘ，Ａｙ廻りにそれぞれ変更可能に構成し、発射ハンドル１４を第１回転軸Ａｘ廻りの複数位置で選択的に保持可能な第１回転保持手段７４と、発射ハンドル１４を第２回転軸Ａｙ廻りの複数位置で選択的に保持可能な第２回転保持手段７５とを設け、第１，第２回転保持手段７４，７５は例えばボールプランジャとこれに対応する複数の位置決め凹部等により構成する。【選択図】図８
2014083225.tif 000002
【特許請求の範囲】
【請求項１】
遊技球を発射する発射手段と、前記発射手段を作動させるための発射操作部を有し且つ遊技機本体の前側に突設された発射ハンドルとを備えた弾球遊技機において、前記発射ハンドルの突出方向を、第１，第２回転軸廻りにそれぞれ変更可能に構成され、前記発射ハンドルを前記第１回転軸廻りの複数の第１回転位置で選択的に保持可能な第１回転保持手段と、前記発射ハンドルを前記第２回転軸廻りの複数の第２回転位置で選択的に保持可能な第２回転保持手段とを備えたことを特徴とする弾球遊技機。
【請求項２】
前記遊技機本体上のベース体により前記第１回転軸廻りに回転可能に支持される第１回転体と、前記第１回転体により前記第２回転軸廻りに回転可能に支持される第２回転体とを備え、前記第２回転体上に前記発射ハンドルを設けたことを特徴とする請求項１に記載の弾球遊技機。
【請求項３】
前記第１回転保持手段は、前記ベース体上又は前記第１回転体上に設けられた第１係合部と、前記第１回転体上又は前記ベース体上に設けられ且つ複数の前記第１回転位置のそれぞれにおいて前記第１係合部が係脱自在に係合可能な複数の第１係合受け部とで構成され、前記第２回転保持手段は、前記第１回転体上又は前記第２回転体上に設けられた第２係合部と、前記第２回転体上又は前記第１回転体上に設けられ且つ複数の前記第２回転位置のそれぞれにおいて前記第２係合部が係脱自在に係合可能な複数の第２係合受け部とで構成されていることを特徴とする請求項２に記載の弾球遊技機。
【請求項４】
前記第１係合受け部及び前記第２係合受け部は凹部又は孔部により構成され、前記第１係合部及び前記第２係合部は、前記凹部又は孔部に嵌入する突出位置と嵌入しない退避位置との間で移動可能に保持され且つ前記突出位置側に付勢された出退部材を備えていることを特徴とする請求項３に記載の弾球遊技機。
【請求項５】
前記遊技機本体に固定されたベース体により前記第１回転軸と前記第２回転軸との交点を中心として回転自在に支持され且つ前記発射ハンドルが設けられた回転体と、前記遊技機本体又は前記回転体に固定され且つ前記交点を中心とする略球面状に形成されたガイド面と、前記回転体又は前記遊技機本体に固定された係合部と、複数の前記第１回転位置と複数の前記第２回転位置との組み合わせに対応して前記ガイド面上に設けられ且つ前記係合部が係脱自在に係合可能な係合受け部とを備え、前記第１回転保持手段は、複数の前記第１回転位置に対応する複数組の前記係合受け部をそれぞれ前記第２回転軸廻りの周方向に接続するように前記ガイド面上に設けられ且つ前記係合部が前記各係合受け部よりも弱い力で係合可能な第１接続受け部により構成され、前記第２回転保持手段は、複数の前記第２回転位置に対応する複数組の前記係合受け部をそれぞれ前記第１回転軸廻りの周方向に接続するように前記ガイド面上に設けられ且つ前記係合部が前記各係合受け部よりも弱い力で係合可能な第２接続受け部により構成されていることを特徴とする請求項１又は２に記載の弾球遊技機。
【請求項６】
前記係合受け部は凹部又は孔部により構成され、前記係合部は、前記凹部又は孔部に嵌入する突出位置と嵌入しない退避位置との間で移動可能に保持され且つ前記突出位置側に付勢された出退部材を備え、前記第１接続受け部及び前記第２接続受け部は前記係合受け部よりも前記出退部材の嵌入深さが浅い溝部により構成されていることを特徴とする請求項５に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機では、遊技機本体の前側下部に発射ハンドルが突設されており、遊技者がこの発射ハンドルを操作することにより、発射手段による遊技球の発射動作の開始／停止の切り替え及び発射強度の調整を行うことができるようになっている。従って、遊技者は遊技を行っている間、長時間にわたってこの発射ハンドルを握った状態を維持しなければならない。
【０００３】
そこで、遊技者の身体的負担を軽減できるよう、遊技者が自分の体格等に合わせて発射ハンドルの向きを変更可能とした弾球遊技機が提案されている。例えば特許文献１に記載の弾球遊技機では、発射ハンドルを所定の中心点廻りに揺動可能に支持すると共にその発射ハンドルを所定の姿勢で固定可能となっている。
【先行技術文献】
【特許文献】
【０００４】
【特許文献１】特開２００１−３０００１９号公報
【発明の概要】
【発明が解決しようとする課題】
【０００５】
特許文献１に記載の弾球遊技機では、発射ハンドルの向きを上下左右に無段階に変更して固定できるようになっているため、遊技者は発射ハンドルの向きを細かく調整可能である一方、その調整にはある程度の時間を要し、また例えば一度ハンドルの向きを変更してしまうと元の向きに戻すことが難しいという問題もあった。
【０００６】
本発明は上記事情に鑑みてなされたものであり、遊技者が発射ハンドルを自分に合った向きに容易且つ短時間で調整することができ、また一度ハンドルの向きを変更した後も元の向きに容易に戻すことが可能な弾球遊技機を提供することを目的とする。
【課題を解決するための手段】
【０００７】
本発明は、遊技球を発射する発射手段８と、前記発射手段８を作動させるための発射操作部６２を有し且つ遊技機本体１の前側に突設された発射ハンドル１４とを備えた弾球遊技機において、前記発射ハンドル１４の突出方向を、第１，第２回転軸Ａｘ，Ａｙ廻りにそれぞれ変更可能に構成され、前記発射ハンドル１４を前記第１回転軸Ａｘ廻りの複数の第１回転位置で選択的に保持可能な第１回転保持手段７４，１２３と、前記発射ハンドル１４を前記第２回転軸Ａｙ廻りの複数の第２回転位置で選択的に保持可能な第２回転保持手段７５，１２４とを備えたものである。
【０００８】
また、前記遊技機本体１上のベース体７１により前記第１回転軸Ａｘ廻りに回転可能に支持される第１回転体７２と、前記第１回転体７２により前記第２回転軸Ａｙ廻りに回転可能に支持される第２回転体７３とを備え、前記第２回転体７３上に前記発射ハンドル１４を設けた構成としてもよい。
【０００９】
また、前記第１回転保持手段７４を、前記ベース体７１上又は前記第１回転体７２上に設けられた第１係合部９１と、前記第１回転体７２上又は前記ベース体７１上に設けられ且つ複数の前記第１回転位置のそれぞれにおいて前記第１係合部９１が係脱自在に係合可能な複数の第１係合受け部９２ａ〜９２ｃとで構成し、前記第２回転保持手段７５を、前記第１回転体７２上又は前記第２回転体７３上に設けられた第２係合部１０１と、前記第２回転体７３上又は前記第１回転体７２上に設けられ且つ複数の前記第２回転位置のそれぞれにおいて前記第２係合部１０１が係脱自在に係合可能な複数の第２係合受け部１０２ａ〜１０２ｄとで構成してもよい。
【００１０】
このとき、前記第１係合受け部９２ａ〜９２ｃ及び前記第２係合受け部１０２ａ〜１０２ｄを凹部又は孔部により構成し、前記第１係合部９１及び前記第２係合部１０１を、前記凹部又は孔部に嵌入する突出位置と嵌入しない退避位置との間で移動可能に保持され且つ前記突出位置側に付勢された出退部材９４，１０４を備えた構成としてもよい。
【００１１】
また、前記遊技機本体１に固定されたベース体７１により前記第１回転軸Ａｘと前記第２回転軸Ａｙとの交点Ｃを中心として回転自在に支持され且つ前記発射ハンドル１４が設けられた回転体７２，７３と、前記遊技機本体１に固定され且つ前記交点Ｃを中心とする略球面状に形成されたガイド面１２２と、前記回転体７３上に設けられた係合部１１１と、複数の前記第１回転位置と複数の前記第２回転位置との組み合わせに対応して前記ガイド面１２２上に設けられ且つ前記係合部１１１が係脱自在に係合可能な係合受け部１１２ａ〜１１２ｃ，１１３ａ〜１１３ｃ，１１４ａ〜１１４ｃ，１１５ａ〜１１５ｃとを備え、前記第１回転保持手段を、複数の前記第１回転位置に対応する複数組の前記係合受け部をそれぞれ前記第２回転軸Ａｙ廻りの周方向に接続するように前記ガイド面１２２上に設けられ且つ前記係合部１１１が前記各係合受け部よりも弱い力で係合可能な第１接続受け部１２３により構成し、前記第２回転保持手段を、複数の前記第２回転位置に対応する複数組の前記係合受け部をそれぞれ前記第１回転軸Ａｘ廻りの周方向に接続するように前記ガイド面１２２上に設けられ且つ前記係合部１１１が前記各係合受け部よりも弱い力で係合可能な第２接続受け部１２４により構成してもよい。
【００１２】
この場合、前記係合受け部１１２ａ〜１１２ｃ，１１３ａ〜１１３ｃ，１１４ａ〜１１４ｃ，１１５ａ〜１１５ｃを凹部又は孔部により構成し、前記係合部１１１は、前記凹部又は孔部に嵌入する突出位置と嵌入しない退避位置との間で移動可能に保持され且つ前記突出位置側に付勢された出退部材１１９を備え、前記第１接続受け部１２３及び前記第２接続受け部１２４を、前記係合受け部１１２ａ〜１１２ｃ，１１３ａ〜１１３ｃ，１１４ａ〜１１４ｃ，１１５ａ〜１１５ｃよりも前記出退部材の嵌入深さが浅い溝部により構成してもよい。
【発明の効果】
【００１３】
本発明によれば、遊技者が発射ハンドルを自分に合った向きに容易且つ短時間で調整することができ、また一度ハンドルの向きを変更した後も元の向きに容易に戻すことが可能である。
【図面の簡単な説明】
【００１４】
【図１】本発明の第１の実施形態を示すパチンコ機の全体斜視図である。
【図２】同パチンコ機でガラス扉及び下部開閉扉を外した状態の正面図である。
【図３】同パチンコ機における下部開閉扉の平面図である。
【図４】同パチンコ機におけるハンドル角度調整手段及びその近傍の平面断面図である。
【図５】同パチンコ機におけるハンドル角度調整手段及びその近傍の側面断面図である。
【図６】同パチンコ機におけるハンドル角度調整手段及びその近傍の正面断面図である。
【図７】同パチンコ機におけるハンドル角度調整手段の分解斜視図である。
【図８】同パチンコ機におけるハンドル角度調整手段の断面斜視図である。
【図９】同パチンコ機におけるハンドル角度調整手段の断面斜視図である。
【図１０】本発明の第２の実施形態を示すパチンコ機におけるハンドル角度調整手段及びその近傍の平面断面図である。
【図１１】同パチンコ機におけるハンドル角度調整手段及びその近傍の側面断面図である。
【図１２】同パチンコ機におけるガイド面の要部正面図である。
【図１３】同パチンコ機におけるハンドル角度調整手段の要部平面断面図である。
【発明を実施するための形態】
【００１５】
以下、本発明の実施形態を図面に基づいて詳述する。図１〜図９は本発明をパチンコ機に適用した第１の実施形態を例示している。図１及び図２において、遊技機本体１は、矩形状の外枠２と、この外枠２の左右一側、例えば左側のヒンジ３を介して縦軸心廻りに開閉自在及び着脱自在に枢着された内枠４とを備えている。
【００１６】
内枠４には、その上部側に設けられた上部装着部５に遊技盤６が、その上部装着部５の下側に設けられた下部装着部７に発射手段８等が夫々配置されており、その内枠４の前側には、上部装着部５に対応するガラス扉９と、下部装着部７に対応する下部開閉扉１０とがヒンジ３と同じ側のヒンジ１１により開閉自在及び着脱自在に枢着されている。ガラス扉９には、遊技盤６側の遊技領域６ａに対応するガラス窓１２が設けられ、また下部開閉扉１０には、発射手段８に供給するための遊技球を貯留する貯留皿１３、発射手段８を作動させるための発射ハンドル１４等が設けられている。
【００１７】
上部装着部５には、遊技盤６を装着するための遊技盤装着枠１５が設けられると共に、例えばその上端側には左右一対のスピーカ１６が着脱自在に装着されている。遊技盤６は、遊技盤装着枠１５に対して例えば前側から装着され、１又は複数の固定具１５ａにより着脱自在に固定されており、その前面側には、発射手段８により発射された遊技球を遊技領域６ａの上部側に案内する外レール２１と、遊技領域６ａの周囲を規定する周壁の少なくとも一部を構成する内レール２２とが立設されると共に、遊技領域６ａ内には、画像表示手段を備えたセンターケース２３の他、通過ゲート２４、開閉式入賞手段２５、大入賞手段２６、普通入賞手段２７等の各種遊技部品が装着されている。
【００１８】
下部装着部７には、その前側の例えば左右方向略中央に発射手段８が配置され、その発射手段８の左側には、図外の払い出し手段から払い出された遊技球を下部開閉扉１０側の貯留皿１３に排出するための払い出し口３１等が配置されている。
【００１９】
発射手段８は、図２に示すように、板金製の支持板３３と、この支持板３３の前面に装着された発射レール３４と、支持板３３の前面に装着され且つ発射用の遊技球を発射レール３４上に保持する球保持部３５と、支持板３３の前面で前後方向の駆動軸３６廻りに揺動自在に支持された打撃槌３７と、支持板３３の裏側に装着され且つ打撃槌３７を駆動軸３６を介して打撃方向に駆動するロータリソレノイド等の発射駆動手段３８とを備え、下部開閉扉１０側の発射ハンドル１４が操作されたときに、その操作量に応じて発射駆動手段３８により打撃槌３７を打撃方向（時計廻り）に連続的に駆動することにより、下部開閉扉１０側の貯留皿１３から発射レール３４上に供給された遊技球を発射レール３４に沿って打撃して遊技領域６ａ側に発射させるようになっている。
【００２０】
下部開閉扉１０は、図１及び図３に示すように、下部装着部７の前側に配置される台板４１と、この台板４１の前側上部に配置される貯留皿１３と、この貯留皿１３の前側から台板４１の略全体を覆う化粧カバー４２と、この化粧カバー４２の前側に突設される発射ハンドル１４と、発射動作と連動して貯留皿１３側の遊技球を発射レール３４上に一個ずつ供給する球送り手段４３と、ファール球を貯留皿１３側に案内するファール球返却手段４４とを備えている。
【００２１】
台板４１は、例えば合成樹脂により下部装着部７を略覆う横長矩形状に形成され、その裏側には、球送り手段４３、ファール球返却手段４４等が着脱自在に装着されると共に、下部装着部７側の払い出し口３１に対応して払い出し案内樋４５が突設されており、払い出し手段（図示省略）からの遊技球が払い出し口３１から払い出し案内樋４５を経て前側の貯留皿１３に払い出されるようになっている。
【００２２】
貯留皿１３は、払い出し案内樋４５が設けられている左右方向の一端側、例えば左端側から他端側、例えば右端側に向けて緩やかに下る傾斜状に設けられ、その下流側が球送り手段４３に連通している。
【００２３】
化粧カバー４２は、貯留皿１３の前側を覆う貯留皿カバー部５１と、貯留皿１３の下側から左右両側で台板４１の前側を覆う前カバー部５２とを一体又は別体に備えている。貯留皿カバー部５１は、貯留皿１３の形状に合わせて前向き膨出状に形成されており、その前側に貸し球操作部５３、球抜き操作部５４、演出操作部５５等が設けられている。
【００２４】
発射ハンドル１４は、図４，図５等に示すように、前カバー部５２に形成されたハンドル挿通孔６０を介して前側に突出するハンドルベース６１、このハンドルベース６１の前側に例えばハンドルベース６１の中心軸（以下、ハンドル軸という）廻りに回動可能に支持された回転操作部（発射操作部）６２、この回転操作部６２の前側を覆うハンドルキャップ６３等を備え、例えば台板４１の後側に装着されたハンドル角度調整手段６５によりハンドル軸の方向を調整可能な状態で支持されている。
【００２５】
ハンドルベース６１は、例えば略円筒状の支持脚部６６と、この支持脚部６６の前端側に設けられた略椀形の機構収容部６７とを一体に備え、支持脚部６６の後端側がハンドル角度調整手段６５により支持されている。機構収容部６７には、回転操作部６２の回転角度を検出するための可変抵抗器６８、遊技者が回転操作部６２に触れているか否かを検出するためのタッチセンサ６９等が収容されると共に、発射手段８のＯＮ／ＯＦＦを切り替えるための停止操作レバー７０（図４）が例えば回転操作部６２の後側で周方向外向きに突設されている。
【００２６】
回転操作部６２は、機構収容部６７の外周に沿う略円環状で、外周面上に複数の指掛け部６２ａが突設されると共に、例えばその外表面全体に導電性メッキが施されてタッチセンサ６９と導通しており、戻しバネ（図示省略）により反操作方向（反時計方向）に付勢されている。そして、遊技者によって回転操作部６２が時計方向に回転操作されたとき、その回転角度に対応する発射強度で発射駆動手段３８が作動するようになっている。なお、回転操作部６２が回転した状態であってもタッチセンサ６９による検出がなければ発射手段８は作動せず、また回転操作部６２が非操作状態のとき、即ち戻しバネの付勢により原点位置に保持されているとき、当該回転操作部６２の所定部位により停止操作レバー７０が押されて発射手段８がＯＦＦになるように構成されている。
【００２７】
ハンドル角度調整手段６５は、発射ハンドル１４の突出方向、即ちハンドル軸の向きを調整するためのもので、図４〜図９に示すように、例えば下部開閉扉１０上に固定されるベース体７１と、このベース体７１により左右方向の横回転軸（第１回転軸）Ａｘ廻りに回転可能に支持される外回転体（第１回転体）７２と、この外回転体７２により上下方向の縦回転軸（第２回転軸）Ａｙ廻りに回転可能に支持される内回転体（第２回転体）７３と、外回転体７２を横回転軸Ａｘ廻りの複数の縦回転位置（第１回転位置）で選択的に保持可能な縦回転保持手段（第１回転保持手段）７４と、内回転体７３を縦回転軸Ａｙ廻りの複数の横回転位置（第２回転位置）で選択的に保持可能な横回転保持手段（第２回転保持手段）７５とを備え、内回転体７３に発射ハンドル１４が固定されている。
【００２８】
ベース体７１は、例えば左右一対の側壁７９ａ，７９ｂと背壁８０とで平面視略コの字型に形成されており、例えば側壁７９ａ，７９ｂの前縁側に一体に設けられたフランジ７６において下部開閉扉１０の台板４１の背面側に固定ねじ７７等により着脱自在に固定されている。また、側壁７９ａ，７９ｂの例えば前端部近傍には、左右方向に対応する一対の横軸受け孔７８ａ，７８ｂが形成されている。
【００２９】
外回転体７２は、例えば上下左右の周壁８１ａ〜８１ｄと前壁８２とを一体に備えた略箱形で、前壁８２上には発射ハンドル１４のハンドルベース６１を前後に挿通させるための開口部８３が形成されており、左右の周壁８１ｃ，８１ｄがベース体７１側の側壁７９ａ，７９ｂの内側に沿うようにベース体７１内に配置されている。また、左右の周壁８１ｃ，８１ｄの例えば前端部近傍には、ベース体７１側の横軸受け孔７８ａ，７８ｂにそれぞれ回転自在に装着された横軸部材８４ａ，８４ｂが、例えばベース体７１の外側から軸固定ねじ８５ａ，８５ｂにより着脱自在に固定されている。これにより、外回転体７２はベース体７１に対して横軸受け孔７８ａ，７８ｂの中心を通る横回転軸Ａｘ廻りに回転可能となっている。
【００３０】
また、上下の周壁８１ａ，８１ｂの例えば前端部近傍には、上下方向に対応する一対の縦軸受け孔８６ａ，８６ｂが形成されている。これら縦軸受け孔８６ａ，８６ｂは、それらの中心を通る直線（縦回転軸Ａｙ）が、ベース体７１側の横軸受け孔７８ａ，７８ｂの中心を通る直線（横回転軸Ａｘ）と交点Ｃにおいて直交するように配置されている。
【００３１】
内回転体７３は、外回転体７２側の周壁８１ａ〜８１ｄの内側にそれぞれ対向するように配置される上下左右の内周壁８７ａ〜８７ｄと、外回転体７２側の前壁８２の内側（後側）に対向するように配置される内前壁８８とを一体に備えた略箱形で、発射ハンドル１４の後端部が、外回転体７２側の開口部８３を通過してその後側の内前壁８８に着脱可能に固定されている。また、上下の内周壁８７ａ，８７ｂの例えば前端部近傍には、外回転体７２側の縦軸受け孔８６ａ，８６ｂにそれぞれ回転自在に装着された縦軸部材８９ａ，８９ｂが、例えば外回転体７２の外側から軸固定ねじ９０ａ，９０ｂにより着脱自在に固定されている。これにより、内回転体７３は外回転体７２に対して縦軸受け孔８６ａ，８６ｂの中心を通る縦回転軸Ａｙ廻りに回転可能となっている。
【００３２】
また、内回転体７３の内前壁８８は、縦回転軸Ａｙ廻りに回転したときの外回転体７２側の開口部８３との隙間が常に小さく保たれるように、例えばその上下の縁部は開口部８３の上下の縁部と近接しており、また左右両縁部は例えば外向きに突出すると共にその端面は常に開口部８３の左右の縁部に近接するように縦回転軸Ａｙを中心とする略円筒面状に形成されている。
【００３３】
縦回転保持手段（第１回転保持手段）７４は、ベース体７１上に設けられた第１ボールプランジャ（第１係合部）９１と、外回転体７２上に設けられた複数（ここでは３つ）の第１位置決め凹部（第１係合受け部）９２ａ〜９２ｃとで構成されている。第１ボールプランジャ９１は、有底筒状のケーシング９３と、このケーシング９３の軸方向に移動可能且つ回転可能な状態でケーシング９３内に収容されたボール（出退部材）９４と、ボール９４をケーシング９３の先端側の開口９３ａに向けて外向きに付勢するコイルスプリング９５とを備え、ベース体７１の左右の側壁７９ａ，７９ｂの少なくとも一方、例えば左側壁７９ａの後端部近傍に、先端部を内側（外回転体７２側）に突出させた状態で着脱可能に固定されている。第１ボールプランジャ９１内のボール９４は、コイルスプリング９５の付勢によりケーシング９３の開口９３ａから外側に一部突出して外回転体７２の左周壁８１ｃに圧接され、外回転体７２の横回転軸Ａｘ廻りの回転に伴って左周壁８１ｃ上を転動するようになっている。
【００３４】
第１位置決め凹部９２ａ〜９２ｃは、外回転体７２の横回転軸Ａｘ廻りの回転に伴う第１ボールプランジャ９１の移動軌跡に沿って、即ち横回転軸Ａｘに対する円周方向に沿って外回転体７２の左周壁８１ｃの外面側に例えば一定間隔で設けられている。これら３つの第１位置決め凹部９２ａ〜９２ｃは、ボール９４の一部が嵌入可能な例えば略半球状に形成されており、それぞれハンドル軸の向きが斜め上（以下、上向きという）、水平、斜め下（以下、下向きという）となったときに第１ボールプランジャ９１のボール９４が嵌入する位置に設けられている。
【００３５】
このように、第１ボールプランジャ（第１係合部）９１のボール（出退部材）９４は、第１位置決め凹部（第１係合受け部）９２ａ〜９２ｃに嵌入する突出位置と嵌入しない退避位置との間で移動可能に保持され且つコイルスプリング９５により突出位置側に付勢されているため、ボール９４が第１位置決め凹部９２ａ〜９２ｃの何れかに嵌入するとコイルスプリング９５の付勢力によりその状態が保持され、従って外回転体７２の横回転軸Ａｘ廻りの回転位置は保持されるが、外回転体７２に対して横回転軸Ａｘ廻りに一定以上の力が作用した場合にはコイルスプリング９５の付勢力に抗してボール９４が第１位置決め凹部９２ａ〜９２ｃから外れ、外回転体７２はベース体７１に対して横回転軸Ａｘ廻りに揺動する。
【００３６】
なお、外回転体７２のベース体７１に対する横回転軸Ａｘ廻りの揺動は、図示しない規制手段により、ハンドル軸が上向きとなる状態から下向きとなる状態までの範囲、又はそれよりも若干広い範囲内に規制されているものとする。
【００３７】
横回転保持手段（第２回転保持手段）７５は、外回転体７２上に設けられた第２ボールプランジャ（第２係合部）１０１と、内回転体７３上に設けられた複数（ここでは４つ）の第２位置決め凹部（第２係合受け部）１０２ａ〜１０２ｄとで構成されている。第２ボールプランジャ１０１は、第１ボールプランジャ９１と同様、有底筒状のケーシング１０３と、このケーシング１０３の軸方向に移動可能且つ回転可能な状態でケーシング１０３内に収容されたボール（出退部材）１０４と、ボール１０４をケーシング１０３の先端側の開口１０３ａに向けて外向きに付勢するコイルスプリング１０５とを備え、外回転体７２の上下の周壁８１ａ，８１ｂの少なくとも一方、例えば上周壁８１ａの後端部近傍に、先端部を内側（内回転体７３側）に突出させた状態で着脱可能に固定されている。第２ボールプランジャ１０１内のボール１０４は、コイルスプリング１０５の付勢によりケーシング１０３の開口１０３ａから外側に一部突出して内回転体７３の上内周壁８７ａに圧接され、内回転体７３の縦回転軸Ａｙ廻りの回転に伴って上内周壁８７ａ上を転動するようになっている。
【００３８】
第２位置決め凹部１０２ａ〜１０２ｄは、内回転体７３の縦回転軸Ａｙ廻りの回転に伴う第２ボールプランジャ１０１の移動軌跡に沿って、即ち縦回転軸Ａｙに対する円周方向に沿って内回転体７３の上内周壁８７ａの外面側に例えば一定間隔で設けられている。これら４つの第２位置決め凹部１０２ａ〜１０２ｄは、ボール１０４の一部が嵌入可能な例えば略半球状に形成されており、それぞれハンドル軸の向きが斜め左（以下、左向きという）、前、斜め右（以下、第１右向きという）、大きく斜め右（以下、第２右向きという）となったときに第２ボールプランジャ１０１のボール１０４が嵌入する位置に設けられている。
【００３９】
このように、第２ボールプランジャ（第２係合部）１０１のボール（出退部材）１０４は、第２位置決め凹部（第２係合受け部）１０２ａ〜１０２ｄに嵌入する突出位置と嵌入しない退避位置との間で移動可能に保持され且つコイルスプリング１０５により突出位置側に付勢されているため、ボール１０４が第２位置決め凹部１０２ａ〜１０２ｄの何れかに嵌入するとコイルスプリング１０５の付勢力によりその状態が保持され、従って内回転体７３の縦回転軸Ａｙ廻りの回転位置は保持されるが、内回転体７３に対して縦回転軸Ａｙ廻りに一定以上の力が作用した場合にはコイルスプリング１０５の付勢力に抗してボール１０４が第２位置決め凹部１０２ａ〜１０２ｄから外れ、内回転体７３は外回転体７２に対して縦回転軸Ａｙ廻りに揺動する。
【００４０】
なお、内回転体７３の外回転体７２に対する縦回転軸Ａｙ廻りの揺動は、図示しない規制手段により、ハンドル軸が左向きとなる状態から第２右向きとなる状態までの範囲、又はそれよりも若干広い範囲内に規制されているものとする。
【００４１】
以上のように構成された本実施形態のパチンコ機では、発射ハンドル１４はハンドル角度調整手段６５によって横回転軸Ａｘ廻り及び縦回転軸Ａｙ廻りにそれぞれ揺動可能に保持されており、従って発射ハンドル１４は横回転軸Ａｘと縦回転軸Ａｙとの交点Ｃを中心としてその向きを所定範囲内で自由に変更可能であると共に、第１ボールプランジャ９１が３つの第１位置決め凹部９２ａ〜９２ｃの何れかに嵌入し、第２ボールプランジャ１０１が４つの第２位置決め凹部１０２ａ〜１０２ｄの何れかに嵌入することにより、予め定められた全１２方向の何れかにおいて発射ハンドル１４の向きが保持される。
【００４２】
遊技者は、発射ハンドル１４を任意の方向に強く倒し、第１ボールプランジャ９１と第２ボールプランジャ１０１との少なくとも一方の嵌入先を他の位置決め凹部に切り替えることにより、発射ハンドル１４の向きを自分の体格等に合わせて変更することができる。このとき、まず最初は例えば横回転軸Ａｘ廻りの向き（即ち第１ボールプランジャ９１の嵌入位置）を維持した状態で縦回転軸Ａｙ廻りの向き（即ち第２ボールプランジャ１０１の嵌入位置）のみを変更し、次にその変更後の縦回転軸Ａｙ廻りの向き（即ち第２ボールプランジャ１０１の嵌入位置）を維持した状態で横回転軸Ａｘ廻りの向き（即ち第１ボールプランジャ９１の嵌入位置）のみを変更することにより（もちろん逆でも可）、発射ハンドル１４を自分に合った向きに容易且つ短時間で調整することが可能である。しかも、ハンドル角度調整手段６５によって保持される発射ハンドル１４の向きは予め定められた所定数（ここでは１２方向）に限定されており、必ずそれらの何れかの向きで保持されるため、一度ハンドルの向きを変更した後も元の向きに容易に戻すことが可能である。
【００４３】
図１０〜図１３は本発明の第２の実施形態を例示し、第１の実施形態におけるハンドル角度調整手段６５の構成を変更した例を示している。本実施形態に関する以下の説明で特に言及しない構成については第１の実施形態と同様であるとする。
【００４４】
本実施形態のハンドル角度調整手段６５は、例えば下部開閉扉１０上に固定されるベース体７１と、このベース体７１により左右方向の横回転軸（第１回転軸）Ａｘ廻りに回転可能に支持される外回転体７２と、この外回転体７２により上下方向の縦回転軸（第２回転軸）Ａｙ廻りに回転可能に支持される内回転体７３と、前記内回転体７３上に設けられたボールプランジャ（係合部）１１１と、例えばベース体７１上に固定され且つボールプランジャ１１１に対応する複数、例えば１２個の位置決め凹部（係合受け部）１１２ａ〜１１２ｃ，１１３ａ〜１１３ｃ，１１４ａ〜１１４ｃ，１１５ａ〜１１５ｃが形成されたガイド部材１１６とを備え、内回転体７３に発射ハンドル１４が固定されている。
【００４５】
ベース体７１は、第１の実施形態と同様、例えば左右一対の側壁７９ａ，７９ｂと背壁８０とで平面視略コの字型に形成されており、例えば側壁７９ａ，７９ｂの前縁側に一体に設けられたフランジ７６において下部開閉扉１０の台板４１の背面側に固定ねじ７７等により着脱自在に固定されている。また、側壁７９ａ，７９ｂの例えば前端部近傍には、左右方向に対応する一対の横軸受け孔７８ａ，７８ｂが形成されている。
【００４６】
外回転体７２は、第１の実施形態と同様、例えば上下左右の周壁８１ａ〜８１ｄと前壁８２とを一体に備えた略箱形で、前壁８２上には発射ハンドル１４のハンドルベース６１を前後に挿通させるための開口部８３が形成されており、左右の周壁８１ｃ，８１ｄがベース体７１側の側壁７９ａ，７９ｂの内側に沿うようにベース体７１内に配置されている。また、左右の周壁８１ｃ，８１ｄの例えば前端部近傍には、ベース体７１側の横軸受け孔７８ａ，７８ｂにそれぞれ回転自在に装着された横軸部材８４ａ，８４ｂが、例えばベース体７１の外側から軸固定ねじ８５ａ，８５ｂにより着脱自在に固定されている。これにより、外回転体７２はベース体７１に対して横軸受け孔７８ａ，７８ｂの中心を通る横回転軸Ａｘ廻りに回転可能となっている。
【００４７】
また、上下の周壁８１ａ，８１ｂの例えば前端部近傍には、上下方向に対応する一対の縦軸受け孔８６ａ，８６ｂが形成されている。これら縦軸受け孔８６ａ，８６ｂは、それらの中心を通る直線（縦回転軸Ａｙ）が、ベース体７１側の横軸受け孔７８ａ，７８ｂの中心を通る直線（横回転軸Ａｘ）と交点Ｃにおいて直交するように配置されている。
【００４８】
内回転体７３は、第１の実施形態と同様、外回転体７２側の周壁８１ａ〜８１ｄの内側にそれぞれ対向するように配置される上下左右の内周壁８７ａ〜８７ｄと、外回転体７２側の前壁８２の内側（後側）に対向するように配置される内前壁８８とを一体に備えた略箱形で、発射ハンドル１４の後端部が、外回転体７２側の開口部８３を介してその後側の内前壁８８に着脱可能に固定されている。また、上下の内周壁８７ａ，８７ｂの例えば前端部近傍には、外回転体７２側の縦軸受け孔８６ａ，８６ｂにそれぞれ回転自在に装着された縦軸部材８９ａ，８９ｂが、例えば外回転体７２の外側から軸固定ねじ９０ａ，９０ｂにより着脱自在に固定されている。これにより、内回転体７３は外回転体７２に対して縦軸受け孔８６ａ，８６ｂの中心を通る縦回転軸Ａｙ廻りに回転可能となっている。
【００４９】
なお、外回転体７２及び内回転体７３が、ベース体７１により横回転軸（第１回転軸）Ａｘと縦回転軸（第２回転軸）Ａｙとの交点Ｃを中心として回転自在に支持され且つ発射ハンドル１４が設けられた回転体の一例である。
【００５０】
内回転体７３の後端側には、支持部材１１７を介してボールプランジャ１１１が固定されている。このボールプランジャ１１１は、有底筒状のケーシング１１８と、このケーシング１１８の軸方向に移動可能且つ回転可能な状態でケーシング１１８内に収容されたボール（出退部材）１１９と、ボール１１９をケーシング１１８の先端側の開口１１８ａに向けて外向きに付勢するコイルスプリング１２０とを備え、先端部が例えばベース体７１の背壁８０に形成された開口部１２１を介して後ろ側に突出するように、交点Ｃを中心とする半径方向に沿って配置されている。
【００５１】
ガイド部材１１６は、例えば後ろ向きに膨出する略皿型に形成され、開口部１２１を略覆うようにベース体７１の背壁８０の後側に固定されており、その前面側が交点Ｃを中心とする球面状のガイド面１２２となっている。ボールプランジャ１１１内のボール１１９は、コイルスプリング１２０の付勢によりケーシング１１８の開口１１８ａから外側に一部突出してガイド面１２２に圧接され、内回転体７３の交点Ｃ廻りの回転に伴ってガイド面１２２上を転動する。
【００５２】
ガイド部材１１６のガイド面１２２上には、例えば１２個の位置決め凹部１１２ａ〜１１２ｃ，１１３ａ〜１１３ｃ，１１４ａ〜１１４ｃ，１１５ａ〜１１５ｃが、それぞれボールプランジャ１１１のボール１１９の一部が嵌入可能な例えば略半球状に形成されている。
【００５３】
位置決め凹部１１２ａ〜１１２ｃは、縦回転軸Ａｙ廻りのハンドル軸の向きが斜め左（左向き）の状態に対応するもので、それぞれ横回転軸Ａｘ廻りのハンドル軸の向きが斜め上（上向き）、水平、斜め下（下向き）となったときにボールプランジャ１１１のボール１１９が嵌入する位置に設けられている。他の３組の位置決め凹部１１３ａ〜１１３ｃ，１１４ａ〜１１４ｃ，１１５ａ〜１１５ｃについても同様で、それぞれ縦回転軸Ａｙ廻りのハンドル軸の向きが前、斜め右（第１右向き）、大きく斜め右（第２右向き）に対応しており、位置決め凹部１１３ａ，１１４ａ，１１５ａは横回転軸Ａｘ廻りのハンドル軸の向きが斜め上（上向き）となったとき、位置決め凹部１１３ｂ，１１４ｂ，１１５ｂは同じくハンドル軸の向きが水平となったとき、位置決め凹部１１３ｃ，１１４ｃ，１１５ｃは同じくハンドル軸の向きが斜め下（下向き）となったときにボールプランジャ１１１のボール１１９が嵌入する位置に設けられている。
【００５４】
また、ガイド面１２２上には、横回転軸Ａｘ廻りの複数の回転位置に対応する複数の位置決め凹部をそれぞれ縦回転軸Ａｙ廻りの周方向に接続する横溝（第１接続受け部）（第１回転保持手段）１２３と、縦回転軸Ａｙ廻りの複数の回転位置に対応する複数の位置決め凹部をそれぞれ横回転軸Ａｘ廻りの周方向に接続する縦溝（第２接続受け部）（第２回転保持手段）１２４とが形成されている。
【００５５】
これら横溝１２３及び縦溝１２４は、ボールプランジャ１１１のボール１１９が嵌入可能な例えば断面円弧状に形成されているが、図１３等に示すようにその深さは各位置決め凹部１１２ａ〜１１２ｃ，１１３ａ〜１１３ｃ，１１４ａ〜１１４ｃ，１１５ａ〜１１５ｃよりも浅くなっている。即ち、横溝１２３及び縦溝１２４は、ボールプランジャ１１１を各位置決め凹部１１２ａ〜１１２ｃ，１１３ａ〜１１３ｃ，１１４ａ〜１１４ｃ，１１５ａ〜１１５ｃよりも弱い力で保持しつつ、それぞれ縦回転軸Ａｙ、横回転軸Ａｘ廻りに案内するようになっている。
【００５６】
以上説明した本実施形態のパチンコ機では、発射ハンドル１４はハンドル角度調整手段６５によって横回転軸Ａｘと縦回転軸Ａｙとの交点Ｃ廻りに回転可能に保持されており、従って発射ハンドル１４はその交点Ｃを中心として所定範囲内で自由に向きを変更可能であると共に、ボールプランジャ１１１が１２個の位置決め凹部１１２ａ〜１１２ｃ，１１３ａ〜１１３ｃ，１１４ａ〜１１４ｃ，１１５ａ〜１１５ｃの何れかに嵌入することにより、予め定められた全１２方向の何れかにおいて発射ハンドル１４の向きが保持される。
【００５７】
遊技者は、発射ハンドル１４を任意の方向に強く倒し、ボールプランジャ１１１の嵌入先を他の位置決め凹部に切り替えることにより、発射ハンドル１４の向きを自分の体格等に合わせて変更することができる。このとき、例えば横回転軸Ａｘ廻りの向きについてはボールプランジャ１１１が横溝１２３に嵌入することによって保持され、縦回転軸Ａｙ廻りの向きについてはボールプランジャ１１１が縦溝１２４に嵌入することによって保持されるため、まず最初は例えば縦方向の向きを維持した状態で横方向の向きのみを変更し、次にその変更後の横方向の向きを維持した状態で縦方向の向きのみを変更することにより（もちろん逆でも可）、発射ハンドル１４を自分に合った向きに容易且つ短時間で調整することが可能である。しかも、ハンドル角度調整手段６５によって保持される発射ハンドル１４の向きは予め定められた所定数（ここでは１２方向）に限定されており、必ずそれらの何れかの向きで保持されるため、一度ハンドルの向きを変更した後も元の向きに容易に戻すことが可能である。
【００５８】
以上、本発明の実施形態について詳述したが、本発明はこれらの実施形態に限定されるものではなく、本発明の趣旨を逸脱しない範囲で種々の変更が可能である。例えば、第１，第２回転軸は仮想的なもので、それら仮想的な第１，第２回転軸廻りに回転可能に支持されていればよく、必ずしもそれら第１，第２回転軸に沿って軸部材が配置されている必要はない。従って、例えば第２の実施形態の場合、発射ハンドル１４が固定された所定の回転体が所定点を中心に回転可能に支持されていればよく、その所定点で互いに直交する第１，第２回転軸を実際に設け、それら第１，第２回転軸によって個別に支持する構成とする必要はない。また、第１の実施形態の場合、第１回転軸と第２回転軸とは同一平面上になくてもよい。
【００５９】
第１の実施形態の場合、第１ボールプランジャ（第１係合部）９１を外回転体（第１回転体）７２上に、第１位置決め凹部（第１係合受け部）９２ａ〜９２ｃをベース体７１上に設けてもよいし、第２ボールプランジャ（第２係合部）１０１を内回転体（第２回転体）７３上に、第２位置決め凹部（第２係合受け部）１０２ａ〜１０２ｄを外回転体（第１回転体）７２上に設けてもよい。また第２の実施形態の場合、位置決め凹部（係合受け部）１１２ａ〜１１２ｃ，１１３ａ〜１１３ｃ，１１４ａ〜１１４ｃ，１１５ａ〜１１５ｃ、横溝（第１接続受け部）１２３、縦溝（第２接続受け部）１２４等を有するガイド面１２２を内回転体７３等の回転体上に、ボールプランジャ（係合部）１１１をベース体７１上等に配置してもよい。
【００６０】
第１の実施形態における第１，第２係合部、第２の実施形態における係合部は、ボールプランジャに限られるものではなく、例えば位置決め凹部（係合受け部）に嵌脱自在に嵌入する出退部材を備えるものであれば例えばラッチ機構でもよい。また、第１の実施形態における第１，第２係合受け部、第２の実施形態における係合受け部は例えば円錐面を有する凹部や貫通孔でもよい。また第２の実施形態における横溝１２３、縦溝１２４の断面形状も任意である。
【００６１】
更に、実施形態では本発明をパチンコ機に適用した例を示したが、アレンジボール機等の各種弾球遊技機において同様に実施可能であることは言うまでもない。
【符号の説明】
【００６２】
１    遊技機本体
８    発射手段
１４    発射ハンドル
６２    回転操作部（発射操作部）
７１    ベース体
７２    外回転体（第１回転体，回転体）
７３    内回転体（第２回転体，回転体）
７４    第１回転保持手段
７５    第２回転保持手段
９１    第１ボールプランジャ（第１係合部）
９２ａ〜９２ｃ    第１位置決め凹部（第１係合受け部）
９４    ボール（出退部材）
１０１    第２ボールプランジャ（第１係合部）
１０２ａ〜１０２ｄ    第２位置決め凹部（第２係合受け部）
１０４    ボール（出退部材）
１１１    ボールプランジャ（係合部）
１１２ａ〜１１２ｃ，
１１３ａ〜１１３ｃ，
１１４ａ〜１１４ｃ，
１１５ａ〜１１５ｃ    位置決め凹部（係合受け部）
１１９    ボール（出退部材）
１２２    ガイド面
１２３    横溝（第１回転保持手段，第１接続受け部）
１２４    縦溝（第２回転保持手段，第２接続受け部）
Ａｘ    横回転軸（第１回転軸）
Ａｙ    縦回転軸（第２回転軸）
Ｃ    交点
【図１】
2014083225.tif 000003
【図２】
2014083225.tif 000004
【図３】
2014083225.tif 000005
【図４】
2014083225.tif 000006
【図５】
2014083225.tif 000007
【図６】
2014083225.tif 000008
【図７】
2014083225.tif 000009
【図８】
2014083225.tif 000010
【図９】
2014083225.tif 000011
【図１０】
2014083225.tif 000012
【図１１】
2014083225.tif 000013
【図１２】
2014083225.tif 000014
【図１３】
2014083225.tif 000015